【手続補正書】
【提出日】平成30年4月17日(2018.4.17)
【手続補正１】
【補正対象書類名】特許請求の範囲
【補正対象項目名】請求項３
【補正方法】変更
【補正の内容】
【請求項３】
前記表示装置は、前記操作画面を前記情報処理装置に表示させるための操作画面情報を前記情報処理装置へ送信する操作画面情報送信手段を有し、
前記情報処理装置は、
前記操作画面情報を受信する操作画面情報受信手段を有し、
前記表示制御手段は、前記操作画面情報に応じた操作画面を前記表示手段に表示させる
請求項２に記載の表示システム。
【手続補正２】
【補正対象書類名】明細書
【補正対象項目名】０００６
【補正方法】変更
【補正の内容】
【０００６】
本発明は、表示装置と接続して通信を行う第１通信手段と、前記第１通信手段が接続している表示装置から、当該表示装置の機能を表す機能情報を受信する機能情報受信手段と、前記表示装置が有する第２通信手段への電力供給を制御する機能が前記機能情報に含まれている場合、当該機能を有効又は無効とする設定情報を前記表示装置へ送信する設定情報送信手段と、前記表示装置の電源をオン又はオフにする命令を前記表示装置へ送信する命令送信手段とを有する情報処理装置と、前記情報処理装置と接続して通信を行う第２通信手段と、前記第２通信手段が接続している前記情報処理装置へ前記機能情報を送信する機能情報送信手段と、前記設定情報を受信する設定情報受信手段と、前記設定情報が有効を表す場合、自装置の電源がオフのときも前記第２通信手段へ電力を供給し、前記設定情報が無効を表す場合、自装置の電源がオフであるときは前記第２通信手段への電力の供給を停止する第１制御手段と、前記第２通信手段に電力が供給されているときに、前記命令を前記第２通信手段が受信した場合、受信した命令に応じて自装置の電源をオン又はオフとする第２制御手段とを有する表示装置とを備える表示システムを提供する。
この表示システムによれば、ユーザーの要求に応じて表示装置に対する遠隔での電源の投入を可能にすることができる。
【手続補正３】
【補正対象書類名】明細書
【補正対象項目名】０００８
【補正方法】変更
【補正の内容】
【０００８】
また、本発明においては、前記表示装置は、前記操作画面を前記情報処理装置に表示させるための操作画面情報を前記情報処理装置へ送信する操作画面情報送信手段を有し、前記情報処理装置は、前記操作画面情報を受信する操作画面情報受信手段を有し、前記表示制御手段は、前記操作画面情報に応じた操作画面を前記表示手段に表示させる構成としてもよい。
この構成によれば、情報処理装置において表示された操作画面に対する操作に応じて、表示装置に対する遠隔での電源制御を行うことができる。
【手続補正４】
【補正対象書類名】明細書
【補正対象項目名】００２１
【補正方法】変更
【補正の内容】
【００２１】
ネットワークスタンバイ機能とは、電源コードやＡＣアダプターなどを介して電力がプロジェクター１０Ａへ供給可能な状態において、操作部１３０Ａの電源ボタンやリモートコントローラーなどによりプロジェクター１０Ａの電源をオフとしても、制御部１１０Ａと通信部１８０Ａには電力を供給し、外部装置との通信を可能とする機能である。この機能を有効に設定した場合、操作部１３０Ａの電源ボタン、リモートコントローラーの電源ボタン又は情報処理装置２０からの制御によりプロジェクター１０Ａの電源をオフとしても、制御部１１０Ａと通信部１８０Ａに電力が供給される状態となる。また、この機能を無効に設定した場合、操作部１３０Ａの電源ボタン、リモートコントローラーの電源ボタン又は情報処理装置２０からの制御によりプロジェクター１０Ａの電源をオフとすると、制御部１１０Ａに電力を供給するものの、通信部１８０Ａに電力を供給しない状態となる。
【手続補正５】
【補正対象書類名】明細書
【補正対象項目名】００４２
【補正方法】変更
【補正の内容】
【００４２】
プロジェクター１０Ａから送信された機能情報を近距離通信部２０８が受信すると、制御部２０１は、近距離通信部２０８が受信した機能情報を取得する。制御部２０１は、機能情報を取得すると、プロジェクター１０Ａに接続したことをユーザーに通知するダイアログボックスが表示されるようにタッチパネル２０３を制御する（ステップＳＡ７）。制御部２０１は、このダイアログボックスの表示に際し、取得した機能情報にネットワークスタンバイ機能を表す情報が含まれているか判断する。制御部２０１は、取得した機能情報がネットワークスタンバイ機能を表す情報を含む場合、プロジェクター１０Ａが電源オフのときにもリモコン機能を使用するかユーザーへ問い合わせるためのチェックボックスが表示されるようにタッチパネル２０３を制御する。
【手続補正６】
【補正対象書類名】明細書
【補正対象項目名】００６３
【補正方法】変更
【補正の内容】
【００６３】
プロジェクター１０Ｂから送信された機能情報を近距離通信部２０８が受信すると、制御部２０１は、近距離通信部２０８が受信した機能情報を取得する。制御部２０１は、機能情報を取得すると、プロジェクター１０Ｂに接続したことをユーザーに通知するダイアログボックスが表示されるようにタッチパネル２０３を制御する（ステップＳＣ７）。制御部２０１は、このダイアログボックスの表示に際し、取得した機能情報にネットワークスタンバイ機能を表す情報が含まれているか判断する。制御部２０１は、取得した機能情報にネットワークスタンバイ機能を表す情報が含まれていない場合、プロジェクターが電源オフのときにもリモコン機能を使用するかユーザーへ問い合わせるためのチェックボックスが表示されないようにタッチパネル２０３を制御する。
【手続補正７】
【補正対象書類名】明細書
【補正対象項目名】００７２
【補正方法】変更
【補正の内容】
【００７２】
プロジェクター１０Ｃから送信された機能情報を近距離通信部２０８が受信すると、制御部２０１は、近距離通信部２０８が受信した機能情報を取得する。制御部２０１は、機能情報を取得すると、プロジェクター１０Ｃに接続したことをユーザーに通知するダイアログボックスが表示されるようにタッチパネル２０３を制御する（ステップＳＤ７）。制御部２０１は、このダイアログボックスの表示に際し、取得した機能情報にネットワークスタンバイ機能を表す情報が含まれているか判断する。制御部２０１は、取得した機能情報にネットワークスタンバイ機能を表す情報が含まれていない場合、プロジェクターが電源オフのときにもリモコン機能を使用するかユーザーへ問い合わせるためのチェックボックスが表示されないようにタッチパネル２０３を制御する。
【手続補正８】
【補正対象書類名】明細書
【補正対象項目名】００８５
【補正方法】変更
【補正の内容】
【００８５】
情報処理装置２０から送信された文字列を通信部１８０Ａが受信すると、制御部１１０Ａは、通信部１８０Ａが受信した文字列を取得し、次に情報処理装置２０で表示させるＧＵＩ画像のデータを、通信部１８０Ａを制御して情報処理装置２０へ送信する（ステップＳＥ１７）。また、制御部１１０Ａは、取得した文字列に応じて、画質に関連する機能の設定を行う（ステップＳＥ１８）。例えば、制御部１１０Ａは、「明るい」の部分に対応した文字列を取得した場合、カラーモードを「ダイナミック」に設定し、「暗い」の部分に対応した文字列を取得した場合、カラーモードを「シネマ」に設定する。記憶部１２０Ａには、カラーモード毎に、予め明るさ、コントラスト、色の濃さ、色合い、シャープネスなどの設定値が記憶されており、制御部１１０Ａは、設定したカラーモードに対応して予め記憶部１２０Ａに記憶されている明るさ、コントラスト、色の濃さ、色合い、シャープネスなどの設定値を取得し、取得した設定値で映像処理部１５０を制御する。
【手続補正９】
【補正対象書類名】明細書
【補正対象項目名】００９２
【補正方法】変更
【補正の内容】
【００９２】
次に、設定した画質設定を記憶させない場合の動作例と、設定した画質設定を記憶させる場合の動作例について、図２３〜２５を用いて説明する。
ユーザーは、設定した画質が好みの画質ではない場合、画面にある「中止」の部分をタップする操作を行う（ステップＳＦ１）。この操作が行われると、制御部２０１は、ＧＵＩ画像のＨＴＭＬデータにおいて、タップされた部分に対応するｂｕｔｔｏｎタグのｖａｌｕｅ属性に記述されている文字列をプロジェクター１０Ａへ送信する（ステップＳＦ２）。
【手続補正１０】
【補正対象書類名】明細書
【補正対象項目名】００９６
【補正方法】変更
【補正の内容】
【００９６】
この後、ユーザーが、リモートコントローラー又は操作部１３０Ａを操作して画質を変更すると（ステップＳＧ６）、図１７〜図２０の画面で設定した画質とは異なる画質となる。画質が変更された後、ユーザーが図１０の画面が表示されているタッチパネル２０３において「メモリー」と表示されている部分をタップする操作を行うと（ステップＳＧ７）、制御部２０１は、ＧＵＩ画像のＨＴＭＬデータにおいて、タップされた部分に対応するｂｕｔｔｏｎタグのｖａｌｕｅ属性に記述されている文字列をプロジェクター１０Ａへ送信する（ステップＳＧ８）。情報処理装置２０から送信された文字列を通信部１８０Ａが受信すると、制御部１１０Ａは、通信部１８０Ａが受信した文字列を取得する。制御部１１０Ａは、取得した文字列が、「メモリー」の部分に対応した文字列である場合、ステップＳＧ３で記憶したデータを記憶部１２０Ａから取得する（ステップＳＧ９）。制御部１１０Ａは、取得したデータに基づいて映像処理部１５０Ａを制御し、投写する画像の画質を、ステップＳＧ３でデータを記憶したときの画質に変更する（ステップＳＧ１０）。
このように本実施形態によれば、対話形式で設定した画質から画質を変更しても、対話形式で設定した画質に容易に戻すことができる。
【手続補正１１】
【補正対象書類名】明細書
【補正対象項目名】０１１１
【補正方法】変更
【補正の内容】
【０１１１】
コントロールアプリは、プロジェクター１０の機種名と当該機種名が備える機能とを対応付けたテーブルを有する構成としてもよい。この構成の場合、情報処理装置２０は、コネクションを確立したプロジェクター１０から機種名を取得し、当該テーブルと、取得した機種名から接続先のプロジェクター１０の機能を特定してもよい。